【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
繊維系ボードを製造する方法であって、
Ａ．繊維を原料とした目付が１００〜４０００ｇ／ｍ２の範囲内の布状物を製造する工程、
Ｂ．前記布状物を任意の大きさに裁断する工程、
Ｃ．前記裁断された布状物を、積層する工程、
Ｄ．前記積層された布状物を加熱した後、圧縮するか、または加熱と圧縮を同時に行い、成形する工程、
の、少なくとも上記Ａ〜Ｄの工程を順次経てなるとともに、さらに、
ａ．前記裁断された布状物を平面状の台の上に載置し、機械設備により前記台の上で少なくとも一方向に前記布状物を移動させ、前記布状物の位置を調整する工程、
ｂ．前記積層された布状物の重量を測定するための秤量台を用いて該布状物の重量を測定し、布状物の重量が任意に決められた重量設定値を超えた際に、積層された布状物を自動で次工程へ搬送する工程、
の上記ａおよび／またはｂの工程を含むことを特徴とする繊維系ボードの製造方法。
【請求項２】
前記布状物の位置を調整するａの工程において、少なくとも二方向に布状物を移動させ、布状物の位置を調整することを特徴とする請求項１に記載の繊維系ボードの製造方法。
【請求項３】
前記布状物の重量を測定するｂの工程における秤量台が、積層された布状物を次工程へ移動させるコンベアの機能を有することを特徴とする請求項１または２のいずれかに記載の繊維系ボードの製造方法。
【請求項４】
前記裁断された布状物を、針を有する機械設備によって吊り上げ、次工程に搬送する工程を備えることを特徴とする請求項１〜３のいずれかに記載の繊維系ボードの製造方法。
【請求項５】
前記布状物を吊り上げるための機械設備が、布状物を吊り上げるための針と、吸盤の双方を有することを特徴とする請求項４に記載の繊維系ボードの製造方法。
【請求項６】
前記布状物を、針を有する機械設備によって吊り上げ、搬送する工程において、搬送前の布状物が複数枚積層されており、前記積層された布状物の最上部の高さを検知する検知部と、前記積層された布状物を載置する台とを用いて、前記積層された布状物が搬送により減少した際に、前記検知部が布状物の減少を検知し、前記台が一定の高さまで布状物を押し上げることを特徴とする請求項４または５のいずれかに記載の繊維系ボードの製造方法。
【請求項７】
繊維系ボードを加熱した後、冷却する工程を含むことを特徴とする請求項１〜６のいずれかに記載の繊維系ボードの製造方法。
【請求項８】
前記布状物を加熱する工程において、上下２枚の平板を用いて布状物の圧縮および／または冷却を行い、あらかじめ決められた布状物の重量設定値と、前記上下２枚の平板の隙間間隔を適宜設定することにより、繊維系ボードの密度と厚みを適宜設定することを特徴とする請求項１〜７のいずれかに記載の繊維系ボードの製造方法。
【請求項９】
前記布状物を加熱する工程において、高周波誘導加熱装置を用いて加熱することを特徴とする請求項１〜８のいずれかに記載の繊維系ボードの製造方法。
【請求項１０】
請求項１〜９のいずれかに記載の繊維系ボードを加熱した後、あるいは冷却した後に任意の大きさに裁断する工程を含むことを特徴とする繊維系ボードの製造方法。
【請求項１１】
繊維系ボードを製造する装置であって、
Ａ．繊維を原料とした目付が１００〜４０００ｇ／ｍ２の範囲内の布状物を製造する手段、
Ｂ．前記布状物を任意の大きさに裁断する手段、
Ｃ．前記裁断された布状物を、積層する手段、
Ｄ．前記積層された布状物を加熱した後、圧縮するか、または加熱と圧縮を同時に行い、成形する手段、
の、少なくとも上記Ａ〜Ｄの手段を備えてなるとともに、さらに、
ａ．前記裁断された布状物を平面状の台の上に載置し、機械設備により前記台の上で少なくとも一方向に前記布状物を移動させ、前記布状物の位置を調整する手段、
ｂ．前記積層された布状物の重量を測定するための秤量台を用いて該布状物の重量を測定する手段、
の上記ａおよび／またはｂの手段を備えることを特徴とする繊維系ボードの製造装置。
【手続補正２】
【補正対象書類名】明細書
【補正対象項目名】０００８
【補正方法】変更
【補正の内容】
【０００８】
本発明は、かかる課題を解決するために、次のような手段を採用する。すなわち、
（１）繊維系ボードを製造する方法であって、
Ａ．繊維を原料とした目付が１００〜４０００ｇ／ｍ２の範囲内の布状物を製造する工程、
Ｂ．前記布状物を任意の大きさに裁断する工程、
Ｃ．前記裁断された布状物を、積層する工程、
Ｄ．前記積層された布状物を加熱した後、圧縮するか、または加熱と圧縮を同時に行い、成形する工程、
の、少なくとも上記Ａ〜Ｄの工程を順次経てなるとともに、さらに、
ａ．前記裁断された布状物を平面状の台の上に載置し、機械設備により前記台の上で少なくとも一方向に前記布状物を移動させ、前記布状物の位置を調整する工程、
ｂ．前記積層された布状物の重量を測定するための秤量台を用いて該布状物の重量を測定し、布状物の重量が任意に決められた重量設定値を超えた際に、積層された布状物を自動で次工程へ搬送する工程、
の上記ａおよび／またはｂの工程を含むことを特徴とする繊維系ボードの製造方法。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
（３）前記布状物の重量を測定するｂの工程における秤量台が、積層された布状物を次工程へ移動させるコンベアの機能を有することを特徴とする前記（１）または（２）のいずれかに記載の繊維系ボードの製造方法。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
（４）前記裁断された布状物を、針を有する機械設備によって吊り上げ、次工程に搬送する工程を備えることを特徴とする前記（１）〜（３）のいずれかに記載の繊維系ボードの製造方法。
【手続補正８】
【補正対象書類名】明細書
【補正対象項目名】００１５
【補正方法】変更
【補正の内容】
【００１５】
（５）前記布状物を吊り上げるための機械設備が、布状物を吊り上げるための針と、吸盤の双方を有することを特徴とする前記（４）に記載の繊維系ボードの製造方法。
【手続補正９】
【補正対象書類名】明細書
【補正対象項目名】００１６
【補正方法】変更
【補正の内容】
【００１６】
（６）前記布状物を、針を有する機械設備によって吊り上げ、搬送する工程において、搬送前の布状物が複数枚積層されており、前記積層された布状物の最上部の高さを検知する検知部と、前記積層された布状物を載置する台とを用いて、前記積層された布状物が搬送により減少した際に、前記検知部が布状物の減少を検知し、前記台が一定の高さまで布状物を押し上げることを特徴とする前記（４）または（５）のいずれかに記載の繊維系ボードの製造方法。
【手続補正１０】
【補正対象書類名】明細書
【補正対象項目名】００１７
【補正方法】変更
【補正の内容】
【００１７】
（７）繊維系ボードを加熱した後、冷却する工程を含むことを特徴とする前記（１）〜（６）のいずれかに記載の繊維系ボードの製造方法。
【手続補正１１】
【補正対象書類名】明細書
【補正対象項目名】００１８
【補正方法】変更
【補正の内容】
【００１８】
（８）前記布状物を加熱する工程において、上下２枚の平板を用いて布状物の圧縮および／または冷却を行い、あらかじめ決められた布状物の重量設定値と、前記上下２枚の平板の隙間間隔を適宜設定することにより、繊維系ボードの密度と厚みを適宜設定することを特徴とする前記（１）〜（７）のいずれかに記載の繊維系ボードの製造方法。
【手続補正１２】
【補正対象書類名】明細書
【補正対象項目名】００１９
【補正方法】変更
【補正の内容】
【００１９】
（９）前記布状物を加熱する工程において、高周波誘導加熱装置を用いて加熱することを特徴とする前記（１）〜（８）のいずれかに記載の繊維系ボードの製造方法。
【手続補正１３】
【補正対象書類名】明細書
【補正対象項目名】００２０
【補正方法】変更
【補正の内容】
【００２０】
（１０）前記（１）〜（９）のいずれかに記載の繊維系ボードを加熱した後、あるいは冷却した後に任意の大きさに裁断する工程を含むことを特徴とする繊維系ボードの製造方法。
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
（１１）繊維系ボードを製造する装置であって、
Ａ．繊維を原料とした目付が１００〜４０００ｇ／ｍ２の範囲内の布状物を製造する手段、
Ｂ．前記布状物を任意の大きさに裁断する手段、
Ｃ．前記裁断された布状物を、積層する手段、
Ｄ．前記積層された布状物を加熱した後、圧縮するか、または加熱と圧縮を同時に行い、成形する手段、
の、少なくとも上記Ａ〜Ｄの手段を備えてなるとともに、さらに、
ａ．前記裁断された布状物を平面状の台の上に載置し、機械設備により前記台の上で少なくとも一方向に前記布状物を移動させ、前記布状物の位置を調整する手段、
ｂ．前記積層された布状物の重量を測定するための秤量台を用いて該布状物の重量を測定する手段、
の上記ａおよび／またはｂの手段を備えることを特徴とする繊維系ボードの製造装置。
【手続補正１６】
【補正対象書類名】明細書
【補正対象項目名】００２３
【補正方法】削除
【補正の内容】
【手続補正１７】
【補正対象書類名】明細書
【補正対象項目名】００５７
【補正方法】変更
【補正の内容】
【００５７】
このようにして得られた繊維系ボードは密度と厚みが異なるものであり、重量測定機により測定される積層体の積算重量、又は、高周波誘導加熱プレス装置のプレス板間隔、および冷却プレス装置のプレス板間隔を設定することにより、人手を要せず、密度、または厚みの異なる繊維系ボードを効率的に得ることができた。